【手続補正書】
【提出日】平成20年5月14日(2008.5.14)
【手続補正１】
【補正対象書類名】特許請求の範囲
【補正対象項目名】全文
【補正方法】変更
【補正の内容】
【特許請求の範囲】
【請求項１】
患者の少なくとも標的細胞にハイパーサーミアを誘導する装置であって、該装置は、
（ａ）送信ヘッドと回路通信しているＲＦ生成器を有するＲＦ送信器であって、該ＲＦ生成器は、該送信ヘッドを介した送信に対して少なくとも１つの周波数を有するハイパーサーミア誘導ＲＦ信号を生成できる、ＲＦ送信器と、
（ｂ）該標的細胞に結合することによって特徴付けられた、標的ＲＦ吸収エンハンサーであって、該結合によって、該ＲＦ信号と該標的ＲＦ吸収エンハンサーとの間の相互作用による、該ＲＦ信号に応答した標的細胞の加熱を増大する、標的ＲＦ吸収エンハンサーと、
（ｃ）該標的ＲＦ吸収エンハンサーを該患者に導入する手段と、
（ｄ）該送信ヘッドを介して送信された該ＲＦ信号が、少なくとも標的細胞に結合された該標的ＲＦ吸収エンハンサーを通過し加温するような態様で、該標的細胞を含んでいる該患者の体の少なくとも一部の近位に該送信ヘッドを配置する手段と、
（ｅ）該送信ヘッドを介して該ＲＦ信号を送信する手段であって、該送信によって、標的細胞に結合された該標的ＲＦ吸収エンハンサーを加温する、手段と、
（ｆ）該患者を通過した該ＲＦ信号の少なくとも一部を受信する手段と
を備える、装置。
【請求項２】
請求項１に記載の患者の少なくとも標的細胞にハイパーサーミアを誘導する装置であって、前記標的ＲＦ吸収エンハンサーの一部が、該標的細胞の細胞膜または該標的細胞内の分子構造に結合する、装置。
【請求項３】
請求項１に記載の患者の少なくとも標的細胞にハイパーサーミアを誘導する装置であって、前記標的ＲＦ吸収エンハンサーの一部が、該標的細胞によって摂取される、装置。
【請求項４】
請求項１に記載の患者の少なくとも標的細胞にハイパーサーミアを誘導する装置であって、前記患者を通過したＲＦ信号の少なくとも一部を受信する手段が、受信ヘッドと回路通信している共振回路を有するＲＦ受信器を備える、装置。
【請求項５】
請求項１に記載の患者の少なくとも標的細胞にハイパーサーミアを誘導する装置であって、ハイパーサーミアが誘導される該標的細胞の少なくとも１つの特性に基づいて、複数の異なる種類の標的ＲＦ吸収エンハンサーから前記標的ＲＦ吸収エンハンサーを選択する手段をさらに備える、装置。
【請求項６】
請求項１に記載の患者の少なくとも標的細胞にハイパーサーミアを誘導する装置であって、前記標的ＲＦ吸収エンハンサーのうちのかなりの数の各々が、少なくとも１つのＲＦ吸収粒子に結合された少なくとも１つの生体分子を含み、該生体分子は、該標的細胞のうちの少なくとも１つにおける標的生体分子を標的にすることによって特徴付けられる、装置。
【請求項７】
請求項６に記載の患者の少なくとも標的細胞にハイパーサーミアを誘導する装置であって、前記少なくとも１つの生体分子が、少なくとも１つの抗体または抗体フラグメントもしくは他の標的部分を含み、さらに、前記標的ＲＦ吸収エンハンサーのうちのかなりの数の各々が、少なくとも１つのＲＦ吸収粒子に結合された少なくとも１つの抗体または抗体フラグメントもしくは他の標的部分を含み、該抗体または抗体フラグメントもしくは他の標的部分は、該標的細胞のうちの少なくとも１つにおける標的生体分子を標的にすることによって特徴付けられる、装置。
【請求項８】
請求項６に記載の患者の少なくとも標的細胞にハイパーサーミアを誘導する装置であって、前記少なくとも１つのＲＦ吸収粒子が、少なくとも１つの圧電結晶を含み、該少なくとも１つの圧電結晶は関連する少なくとも１つの粒子周波数を有し、前記標的ＲＦ吸収エンハンサーのうちのかなりの数の各々が、少なくとも１つの圧電結晶に結合された少なくとも１つの生体分子を含み、該少なくとも１つの圧電結晶は、該少なくとも１つの生体分子に結合されかつ該患者の脈管系を介して標的細胞へ該少なくとも１つの生体分子とともに運ばれるのに十分小さく、さらに、前記ＲＦ送信器によって送信された前記ハイパーサーミア誘導ＲＦ信号が、該少なくとも１つの粒子周波数に対応する少なくとも１つの周波数を有する、装置。
【請求項９】
請求項８に記載の患者の少なくとも標的細胞にハイパーサーミアを誘導する装置であって、前記少なくとも１つの粒子周波数が、前記少なくとも１つのＲＦ吸収粒子の共振周波数を含む、装置。
【請求項１０】
請求項６に記載の患者の少なくとも標的細胞にハイパーサーミアを誘導する装置であって、前記少なくとも１つのＲＦ吸収粒子が、少なくとも１つの同調電子回路を含み、該少なくとも１つの同調電子回路は関連する少なくとも１つの粒子周波数を有し、前記標的ＲＦ吸収エンハンサーのうちのかなりの数の各々が、少なくとも１つの同調電子回路に結合された少なくとも１つの生体分子を含み、該少なくとも１つの同調電子回路は、該少なくとも１つの生体分子に結合されかつ該患者の脈管系を介して標的細胞へ該少なくとも１つの生体分子とともに運ばれるのに十分小さく、さらに、前記ＲＦ送信器によって送信された前記ハイパーサーミア誘導ＲＦ信号が、該少なくとも１つの粒子周波数に対応する少なくとも１つの周波数を有する、装置。
【請求項１１】
請求項１０に記載の患者の少なくとも標的細胞にハイパーサーミアを誘導する装置であって、前記少なくとも１つの同調電子回路が、少なくとも１つの同調ＲＦ（ＴＲＦ）回路を含み、該少なくとも１つのＴＲＦ回路は関連する少なくとも１つの粒子周波数を有し、前記標的ＲＦ吸収エンハンサーのうちのかなりの数の各々が、少なくとも１つのＴＲＦ回路に結合された少なくとも１つの生体分子を含み、該少なくとも１つのＴＲＦ回路は、該少なくとも１つの生体分子に結合されかつ該患者の脈管系を介して標的細胞へ該少なくとも１つの生体分子とともに運ばれるのに十分小さく、さらに、前記ＲＦ送信器によって送信された前記ハイパーサーミア誘導ＲＦ信号が、該少なくとも１つの粒子周波数に対応する少なくとも１つの周波数を有する、装置。
【請求項１２】
請求項１１に記載の患者の少なくとも標的細胞にハイパーサーミアを誘導する装置であって、前記少なくとも１つのＴＲＦ回路が、受信されたＲＦ信号の整流のための少なくとも１つの整流器を含む、装置。
【請求項１３】
請求項１０に記載の患者の少なくとも標的細胞にハイパーサーミアを誘導する装置であって、前記少なくとも１つの同調電子回路が、少なくとも１つのＬＣタンク回路を含み、該少なくとも１つのＬＣタンク回路は関連する少なくとも１つの粒子周波数を有し、前記標的ＲＦ吸収エンハンサーのうちのかなりの数の各々が、少なくとも１つのＬＣタンク回路に結合された少なくとも１つの生体分子を含み、該少なくとも１つのＬＣタンク回路は、該少なくとも１つの生体分子に結合されかつ該患者の脈管系を介して標的細胞へ該少なくとも１つの生体分子とともに運ばれるのに十分小さく、さらに、前記ＲＦ送信器によって送信された前記ハイパーサーミア誘導ＲＦ信号が、該少なくとも１つの粒子周波数に対応する少なくとも１つの周波数を有する、装置。
【請求項１４】
請求項１０に記載の患者の少なくとも標的細胞にハイパーサーミアを誘導する装置であって、前記少なくとも１つの同調電子回路が、受信されたＲＦ信号の整流のための少なくとも１つの整流器と回路通信している少なくとも１つのＬＣタンク回路であって、関連する少なくとも１つの粒子周波数を有する、少なくとも１つのＬＣタンク回路を含み、前記標的ＲＦ吸収エンハンサーのうちのかなりの数の各々が、少なくとも１つの整流器と回路通信している少なくとも１つのＬＣタンク回路に結合された少なくとも１つの生体分子を含み、該少なくとも１つのＬＣタンク回路は、該少なくとも１つの生体分子に結合されかつ該患者の脈管系を介して標的細胞へ該少なくとも１つの生体分子とともに運ばれるのに十分小さく、さらに、前記ＲＦ送信器によって送信された前記ハイパーサーミア誘導ＲＦ信号が、該少なくとも１つの粒子周波数に対応する少なくとも１つの周波数を有する、装置。
【請求項１５】
請求項６に記載の患者の少なくとも標的細胞にハイパーサーミアを誘導する装置であって、前記少なくとも１つのＲＦ吸収粒子が、少なくとも１つの導電性の金属の粒子を含み、さらに、前記標的ＲＦ吸収エンハンサーのうちのかなりの数の各々が、少なくとも１つの導電性の金属の粒子に結合された少なくとも１つの生体分子を含み、該少なくとも１つの導電性の金属の粒子は、該少なくとも１つの生体分子に結合されかつ該患者の脈管系を介して標的細胞へ該少なくとも１つの生体分子とともに運ばれるのに十分小さい、装置。
【請求項１６】
請求項６に記載の患者の少なくとも標的細胞にハイパーサーミアを誘導する装置であって、前記少なくとも１つのＲＦ吸収粒子が、少なくとも１つの導電性の金の粒子を含み、さらに、前記標的ＲＦ吸収エンハンサーのうちのかなりの数の各々が、少なくとも１つの導電性の金の粒子に結合された少なくとも１つの生体分子を含み、該少なくとも１つの導電性の金の粒子は、該少なくとも１つの生体分子に結合されかつ該患者の脈管系を介して標的細胞へ該少なくとも１つの生体分子とともに運ばれるのに十分小さい、装置。
【請求項１７】
請求項６に記載の患者の少なくとも標的細胞にハイパーサーミアを誘導する装置であって、前記少なくとも１つのＲＦ吸収粒子が、少なくとも１つの導電性の金属のナノ粒子を含み、さらに、前記標的ＲＦ吸収エンハンサーのうちのかなりの数の各々が、少なくとも１つのナノ粒子に結合された少なくとも１つの生体分子を含む、装置。
【請求項１８】
請求項６に記載の患者の少なくとも標的細胞にハイパーサーミアを誘導する装置であって、前記少なくとも１つのＲＦ吸収粒子が、少なくとも１つの導電性の金のナノ粒子を含み、さらに、前記標的ＲＦ吸収エンハンサーのうちのかなりの数の各々が、少なくとも１つの導電性の金のナノ粒子に結合された少なくとも１つの生体分子を含む、装置。
【請求項１９】
請求項６に記載の患者の少なくとも標的細胞にハイパーサーミアを誘導する装置であって、前記少なくとも１つの生体分子が、少なくとも１つの抗体または抗体フラグメントもしくは他の標的部分を含み、前記少なくとも１つのＲＦ吸収粒子が、少なくとも１つの圧電結晶を含み、該少なくとも１つの圧電結晶は関連する少なくとも１つの粒子周波数を有し、前記標的ＲＦ吸収エンハンサーのうちのかなりの数の各々が、少なくとも１つの圧電結晶に結合された少なくとも１つの抗体または抗体フラグメントもしくは他の標的部分を含み、該少なくとも１つの圧電結晶は、該少なくとも１つの抗体または抗体フラグメントもしくは他の標的部分に結合されかつ該患者の脈管系を介して標的細胞へ該少なくとも１つの抗体または抗体フラグメントもしくは他の標的部分とともに運ばれるのに十分小さく、さらに、前記ＲＦ送信器によって送信された前記ハイパーサーミア誘導ＲＦ信号が、該少なくとも１つの粒子周波数に対応する少なくとも１つの周波数を有する、装置。
【請求項２０】
請求項６に記載の患者の少なくとも標的細胞にハイパーサーミアを誘導する装置であって、前記少なくとも１つの生体分子が、少なくとも１つの抗体または抗体フラグメントもしくは他の標的部分を含み、前記少なくとも１つのＲＦ吸収粒子が、少なくとも１つの同調電子回路を含み、該少なくとも１つの同調電子回路は関連する少なくとも１つの粒子周波数を有し、前記標的ＲＦ吸収エンハンサーのうちのかなりの数の各々が、少なくとも１つの同調電子回路に結合された少なくとも１つの抗体または抗体フラグメントもしくは他の標的部分を含み、該少なくとも１つの同調回路は、該少なくとも１つの抗体または抗体フラグメントもしくは他の標的部分に結合されかつ該患者の脈管系を介して標的細胞へ該少なくとも１つの抗体または抗体フラグメントもしくは他の標的部分とともに運ばれるのに十分小さく、さらに、前記ＲＦ送信器によって送信された前記ハイパーサーミア誘導ＲＦ信号が、該少なくとも１つの粒子周波数に対応する少なくとも１つの周波数を有する、装置。
【請求項２１】
請求項２０に記載の患者の少なくとも標的細胞にハイパーサーミアを誘導する装置であって、前記少なくとも１つの生体分子が、少なくとも１つの抗体または抗体フラグメントもしくは他の標的部分を含み、前記少なくとも１つの同調電子回路が、少なくとも１つの同調ＲＦ（ＴＲＦ）回路を含み、該少なくとも１つのＴＲＦ回路は関連する少なくとも１つの粒子周波数を有し、前記標的ＲＦ吸収エンハンサーのうちのかなりの数の各々が、少なくとも１つのＴＲＦ回路に結合された少なくとも１つの抗体または抗体フラグメントもしくは他の標的部分を含み、該少なくとも１つのＴＲＦ回路は、該少なくとも１つの抗体または抗体フラグメントもしくは他の標的部分に結合されかつ該患者の脈管系を介して標的細胞へ該少なくとも１つの抗体または抗体フラグメントもしくは他の標的部分とともに運ばれるのに十分小さく、さらに、前記ＲＦ送信器によって送信された前記ハイパーサーミア誘導ＲＦ信号が、該少なくとも１つの粒子周波数に対応する少なくとも１つの周波数を有する、装置。
【請求項２２】
請求項２１に記載の患者の少なくとも標的細胞にハイパーサーミアを誘導する装置であって、前記少なくとも１つのＴＲＦ回路が、受信されたＲＦ信号の整流のための少なくとも１つの整流器を含む、装置。
【請求項２３】
請求項２０に記載の患者の少なくとも標的細胞にハイパーサーミアを誘導する装置であって、前記少なくとも１つの生体分子が、少なくとも１つの抗体または抗体フラグメントもしくは他の標的部分を含み、前記少なくとも１つの同調電子回路が、少なくとも１つのＬＣタンク回路を含み、該少なくとも１つのＬＣタンク回路は関連する少なくとも１つの粒子周波数を有し、前記標的ＲＦ吸収エンハンサーのうちのかなりの数の各々が、少なくとも１つのＬＣタンク回路に結合された少なくとも１つの抗体または抗体フラグメントもしくは他の標的部分を含み、該少なくとも１つのＬＣタンク回路は、該少なくとも１つの抗体または抗体フラグメントもしくは他の標的部分に結合されかつ該患者の脈管系を介して標的細胞へ該少なくとも１つの抗体または抗体フラグメントもしくは他の標的部分とともに運ばれるのに十分小さく、さらに、前記ＲＦ送信器によって送信された前記ハイパーサーミア誘導ＲＦ信号が、該少なくとも１つの粒子周波数に対応する少なくとも１つの周波数を有する、装置。
【請求項２４】
請求項２０に記載の患者の少なくとも標的細胞にハイパーサーミアを誘導する装置であって、前記少なくとも１つの生体分子が、少なくとも１つの抗体または抗体フラグメントもしくは他の標的部分を含み、前記少なくとも１つの同調電子回路が、受信されたＲＦ信号の整流のための少なくとも１つの整流器と回路通信する少なくとも１つのＬＣタンク回路であって、関連する少なくとも１つの粒子周波数を有する、少なくとも１つのＬＣタンク回路を含み、前記標的ＲＦ吸収エンハンサーのうちのかなりの数の各々が、少なくとも１つの整流器と回路通信している少なくとも１つのＬＣタンク回路に結合された少なくとも１つの抗体または抗体フラグメントもしくは他の標的部分を含み、該少なくとも１つのＬＣタンク回路は、該少なくとも１つの抗体または抗体フラグメントもしくは他の標的部分に結合されかつ該患者の脈管系を介して標的細胞へ該少なくとも１つの抗体または抗体フラグメントもしくは他の標的部分とともに運ばれるのに十分小さく、さらに、前記ＲＦ送信器によって送信された前記ハイパーサーミア誘導ＲＦ信号が、該少なくとも１つの粒子周波数に対応する少なくとも１つの周波数を有する、装置。
【請求項２５】
請求項６に記載の患者の少なくとも標的細胞にハイパーサーミアを誘導する装置であって、前記少なくとも１つの生体分子が、少なくとも１つの抗体または抗体フラグメントもしくは他の標的部分を含み、さらに、前記少なくとも１つのＲＦ吸収粒子が、少なくとも１つの導電性の金属の粒子を含み、前記標的ＲＦ吸収エンハンサーのうちのかなりの数の各々が、少なくとも１つの導電性の金属の粒子に結合された少なくとも１つの抗体または抗体フラグメントもしくは他の標的部分を含み、該少なくとも１つの導電性の金属の粒子が、該少なくとも１つの抗体または抗体フラグメントもしくは他の標的部分に結合されかつ該患者の脈管系を介して標的細胞へ該少なくとも１つの抗体または抗体フラグメントもしくは他の標的部分とともに運ばれるのに十分小さい、装置。
【請求項２６】
請求項６に記載の患者の少なくとも標的細胞にハイパーサーミアを誘導する装置であって、前記少なくとも１つの生体分子が、少なくとも１つの抗体または抗体フラグメントもしくは他の標的部分を含み、前記少なくとも１つのＲＦ吸収粒子が、少なくとも１つの導電性の金の粒子を含み、さらに、前記標的ＲＦ吸収エンハンサーのうちのかなりの数の各々が、少なくとも１つの導電性の金の粒子に結合された少なくとも１つの抗体または抗体フラグメントもしくは他の標的部分を含み、該少なくとも１つの導電性の金の粒子は、該少なくとも１つの抗体または抗体フラグメントもしくは他の標的部分に結合されかつ該患者の脈管系を介して標的細胞へ該少なくとも１つの抗体または抗体フラグメントもしくは他の標的部分とともに運ばれるのに十分小さい、装置。
【請求項２７】
請求項６に記載の患者の少なくとも標的細胞にハイパーサーミアを誘導する装置であって、前記少なくとも１つの生体分子が、少なくとも１つの抗体または抗体フラグメントもしくは他の標的部分を含み、さらに、前記少なくとも１つのＲＦ吸収粒子が、少なくとも１つの導電性の金属のナノ粒子を含み、前記標的ＲＦ吸収エンハンサーのうちのかなりの数の各々が、少なくとも１つのナノ粒子に結合された少なくとも１つの抗体または抗体フラグメントもしくは他の標的部分を含む、装置。
【請求項２８】
請求項６に記載の患者の少なくとも標的細胞にハイパーサーミアを誘導する装置であって、前記少なくとも１つの生体分子が、少なくとも１つの抗体または抗体フラグメントもしくは他の標的部分を含み、前記少なくとも１つのＲＦ吸収粒子が、少なくとも１つの導電性の金のナノ粒子を含み、さらに、前記標的ＲＦ吸収エンハンサーのうちのかなりの数の各々が、少なくとも１つの導電性の金のナノ粒子に結合された少なくとも１つの抗体または抗体フラグメントもしくは他の標的部分を含む、装置。
【請求項２９】
請求項１、５、６、７、９、１４、１６、１８、１９、２４、または２６のうちのいずれか一項に記載の患者の少なくとも標的細胞にハイパーサーミアを誘導する装置であって、前記ＲＦ信号が、前記標的ＲＦ吸収エンハンサーにおいて使用されている特定のＲＦ吸収粒子に対応するように選択されたパラメータを有する周波数変調（ＦＭ）ハイパーサーミア誘導ＲＦ信号である、装置。
【請求項３０】
請求項１、５、６、７、９、１４、１６、１８、１９、２４、または２６のうちのいずれか一項に記載の患者の少なくとも標的細胞にハイパーサーミアを誘導する装置であって、前記ＲＦ信号が、前記標的ＲＦ吸収エンハンサーにおいて使用されている名目上のＲＦ吸収粒子の共振周波数に対応する中心周波数を有する周波数変調（ＦＭ）ハイパーサーミア誘導ＲＦ信号であり、該ＦＭハイパーサーミア生成信号の変調が、該標的ＲＦ吸収エンハンサーにおいて使用されている該ＲＦ吸収粒子のパラメータの範囲に対応する、装置。
【請求項３１】
請求項１４〜請求項１７または請求項２４〜請求項２７のうちのいずれか一項に記載の患者の少なくとも標的細胞にハイパーサーミアを誘導する装置であって、前記ＲＦ信号が、前記標的ＲＦ吸収エンハンサーにおいて使用されている名目上にサイズ変更されたＲＦ吸収粒子の共振周波数に対応する中心周波数を有する周波数変調（ＦＭ）ハイパーサーミア誘導ＲＦ信号であり、該ＦＭハイパーサーミア生成信号の変調が、該標的ＲＦ吸収エンハンサーにおいて使用されている該ＲＦ吸収粒子のサイズ許容範囲に対応する、装置。
【請求項３２】
請求項１、５、６、７、９、１４、１６、１８、１９、２４、または２６のうちのいずれか一項に記載の患者の少なくとも標的細胞にハイパーサーミアを誘導する装置であって、前記標的ＲＦ吸収エンハンサーのうちの前記かなりの数の前記ＲＦ吸収粒子が、共振周波数の関連範囲という結果となる関連製造許容範囲を有し、さらに、前記ＲＦ信号が、該標的ＲＦ吸収エンハンサーのうちの該かなりの数における該ＲＦ吸収粒子の該製造許容範囲に関連する該共振周波数の範囲に対応する複数の周波数を含む、装置。
【請求項３３】
請求項１〜３２のいずれか一項に記載の装置であって、前記ＲＦ信号が高Ｑ回路を介して前記ＲＦ吸収エンハンサーに結合されている、装置。
【請求項３４】
請求項１〜３２のいずれか一項に記載の装置であって、前記ＲＦ信号が高Ｑ共振回路を介して前記ＲＦ吸収エンハンサーに結合されている、装置。
【請求項３５】
請求項１５、２５および３１のうちのいずれか一項に記載の装置であって、前記ＲＦ吸収エンハンサーが、少なくとも１つのＲＦ吸収マイクロ粒子に結合されている標的部分を含む、装置。
【請求項３６】
請求項１５、２５および３１のうちのいずれか一項に記載の装置であって、前記ＲＦ吸収エンハンサーが、放射性核種の少なくとも１つのＲＦ吸収粒子に結合されている標的部分を含む、装置。
【請求項３７】
請求項１５、２５および３１のうちのいずれか一項に記載の装置であって、前記ＲＦ吸収エンハンサーが、放射性核種の少なくとも１つのＲＦ吸収マイクロ粒子に結合されている標的部分を含む、装置。
【請求項３８】
請求項１５、２５および３１のうちのいずれか一項に記載の装置であって、前記ＲＦ吸収エンハンサーが、放射性核種の少なくとも１つのＲＦ吸収ナノ粒子に結合されている標的部分を含む、装置。
【請求項３９】
請求項１、２９、３０および３２のうちのいずれか一項に記載の装置であって、前記標的ＲＦ吸収エンハンサーが、ＲＦ吸収金に結合されている標的部分を含む、装置。
【請求項４０】
請求項１、２９、３０および３２のうちのいずれか一項に記載の装置であって、前記標的ＲＦ吸収エンハンサーが、ＲＦ吸収銅に結合されている標的部分を含む、装置。
【請求項４１】
請求項１、２９、３０および３２のうちのいずれか一項に記載の装置であって、前記標的ＲＦ吸収エンハンサーのうちの少なくとも１つの粒子が、ＲＦ吸収銅を含む、装置。
【請求項４２】
請求項１、２９、３０および３２のうちのいずれか一項に記載の装置であって、前記標的ＲＦ吸収エンハンサーが、ＲＦ吸収金属に結合されている標的部分を含む、装置。
【請求項４３】
請求項１、２９、３０および３２のうちのいずれか一項に記載の装置であって、前記標的ＲＦ吸収エンハンサーが、ＲＦ吸収放射性核種に結合されている標的部分を含む、装置。
【請求項４４】
請求項１、２９、３０および３２のうちのいずれか一項に記載の装置であって、前記標的ＲＦ吸収エンハンサーが、ＲＦ吸収２ＦＤＧに結合されている標的部分を含む、装置。
【請求項４５】
請求項１、２９、３０および３２のうちのいずれか一項に記載の装置であって、前記標的ＲＦ吸収エンハンサーが、ＲＦ吸収銅−６７に結合されている標的部分を含む、装置。
【請求項４６】
請求項１、２９、３０および３２のうちのいずれか一項に記載の装置であって、前記標的ＲＦ吸収エンハンサーが、ＲＦ吸収銅−６４に結合されている標的部分を含む、装置。
【請求項４７】
請求項１、２９、３０および３２のうちのいずれか一項に記載の装置であって、前記標的ＲＦ吸収エンハンサーが、銅のＲＦ吸収放射性核種に結合されている標的部分を含む、装置。
【請求項４８】
請求項１、２９、３０および３２のうちのいずれか一項に記載の装置であって、前記標的ＲＦ吸収エンハンサーが、金のＲＦ吸収放射性核種に結合されている標的部分を含む、装置。
【請求項４９】
請求項１、２９、３０および３２のうちのいずれか一項に記載の装置であって、前記標的ＲＦ吸収エンハンサーが、部分的に劣化された放射性物質を含む、装置。
【請求項５０】
患者の少なくとも標的細胞にハイパーサーミアを誘導する装置であって、該装置は、
（ａ）送信ヘッドと回路通信しているＲＦ生成器を有するＲＦ送信器であって、該ＲＦ生成器は、該送信ヘッドを介した送信に対して少なくとも１つの周波数を有するハイパーサーミア誘導ＲＦ信号を生成できる、ＲＦ送信器と、
（ｂ）ＲＦ吸収エンハンサーであって、それによって、該ＲＦ信号と該ＲＦ吸収エンハンサーとの間の相互作用による該ＲＦ信号に応答した標的細胞の加熱を増大し、該ＲＦ吸収エンハンサーが、対応周波数の関連範囲という結果となる関連製造許容範囲を有し、さらに、該ＲＦ信号が、該ＲＦ吸収エンハンサーの該製造許容範囲に関連する共振周波数の範囲に対応する複数の周波数を含む、ＲＦ吸収エンハンサーと、
（ｃ）該ＲＦ吸収エンハンサーを該患者に導入する手段と、
（ｄ）該送信ヘッドを介して送信された該ＲＦ信号が少なくとも該ＲＦ吸収エンハンサーを通過し加温するような態様で、該標的細胞を含んでいる該患者の体の少なくとも一部の近位に該送信ヘッドを配置する手段と、
（ｅ）該送信ヘッドを介して該ＲＦ信号を送信する手段であって、それによって、該ＲＦ吸収エンハンサーを加温する、手段と
を備える、装置。
【請求項５１】
請求項５０に記載の患者の少なくとも標的細胞にハイパーサーミアを誘導する装置であって、前記ＲＦ信号が、前記ＲＦ吸収エンハンサーに対応するように選択されたパラメータを有する周波数変調（ＦＭ）ハイパーサーミア誘導ＲＦ信号である、装置。
【請求項５２】
請求項５０に記載の患者の少なくとも標的細胞にハイパーサーミアを誘導する装置であって、前記ＲＦ信号が、名目上のＲＦ吸収エンハンサーの共振周波数に対応する中心周波数を有する周波数変調（ＦＭ）ハイパーサーミア誘導ＲＦ信号であり、該ＦＭハイパーサーミア生成信号の変調が、該ＲＦ吸収エンハンサーの許容範囲に対応する、装置。
【請求項５３】
請求項５０に記載の患者の少なくとも標的細胞にハイパーサーミアを誘導する装置であって、前記対応周波数の範囲が、共振周波数の範囲を含む、装置。
【請求項５４】
請求項１または５０に記載の患者の少なくとも標的細胞にハイパーサーミアを誘導する装置であって、前記ＲＦ信号の少なくとも一部を受信する受信器ヘッドと異なる受信ヘッドを備える、装置。